(57)【要約】【課題】小型で安価な信号分配器を提供する。【解決手段】本体の外壁には，異なる２つの形状からなる接続端子を一組とする入力端子と，前記異なる２つの形状の接続端子から入力された電気信号を出力する，異なる２つの形状からなる接続端子を一組とする出力端子を複数組備え，前記一方の接続端子はＤ端子であり，他方の接続端子はＡＶ端子であり，本体の内部には，入力側のＤ端子から入力されたアナログ信号の内の制御信号を出力側のＤ端子に出力する第１の信号手段と，入力側のＤ端子から入力されたアナログ信号の内の映像信号を出力側のＤ端子から出力する第２の信号手段と，入力側のＡＶ端子から入力されたアナログ音声信号を出力側のＡＶ端子から出力する第３の信号手段とを備え，前記第１の回路手段は，入力された信号を夫々通過する通過回路か，入力された信号を夫々増幅する増幅回路かを選択自在に構成した。【選択図】  図２
2006050162.tif 000002
【特許請求の範囲】
【請求項１】
信号分配器において，
本体の外壁には，少なくとも異なる２つの形状からなる接続端子を一組としてなる入力端子と，
前記異なる２つの形状の接続端子から入力された電気信号に対応した信号を出力する，異なる２つの形状からなる接続端子を一組としてなる出力端子を複数組と，を備え，
前記接続端子の少なくとも一方は，当該接続端子と他の機器との間に介在させて，複数のアナログ信号からなる電気信号をそれぞれ個別に伝送する複数本の伝送経路からなる伝送線と接続するように構成されており，
本体の内部には，前記入力側の一方の接続端子から入力されたアナログ信号の内の一部の電気信号を，前記出力側の一方の接続端子から出力するための第１の回路手段と，
前記入力側の一方の接続端子から入力された前記アナログ信号の内の一部を除く電気信号を，前記出力側の一方の接続端子から出力するための第２の回路手段と，
前記入力側の他方の接続端子から入力された電気信号を，前記出力側の他方の接続端子から出力するための第３の回路手段と，を備え，
前記第１の回路手段は，入力された信号をそれぞれ通過させる通過回路か，入力された信号をそれぞれ増幅する信号増幅回路かを選択自在に構成したことを特徴とした信号分配器。
【請求項２】
入力された信号をそれぞれ通過させる前記通過回路と，入力された信号をそれぞれ増幅する前記信号増幅回路と，を選択する条件は，前記第１の回路手段からの信号を出力する前記出力側の一方の接続端子に接続される他の機器の入力インピーダンスの所定値を定め，前記他の機器の内の少なくとも一つの機器の入力インピーダンスが所定値を満たすか満たさないかを基準とするように定めたことを特徴とした請求項１に記載の信号分配器。
【請求項３】
入力された信号をそれぞれ通過させる通過回路と，入力された信号をそれぞれ増幅する信号増幅回路と，を選択する条件は，前記第１の回路手段からの信号を出力する前記出力側の一方の接続端子に接続される他の機器の入力インピーダンスの所定値を略１００ｋΩとして，前記他の機器の全ての入力インピーダンスがこの所定値より同じか高い場合は，入力された信号をそれぞれ通過させる通過回路を選択し，前記他の機器の内の少なくとも１つの入力インピーダンスがこの所定値より低い場合は，入力された信号をそれぞれ増幅する信号増幅回路を選択するように定めたことを特徴とした請求項２に記載の信号分配器。
【請求項４】
前記一方の接続端子はＤ端子であり，他方の接続端子はＡＶ端子であり，
前記第１の回路手段は，入力側のＤ端子から入力されたアナログ信号の内の制御信号を，それぞれ出力側のＤ端子に出力するよう構成され，
前記第２の回路手段は，入力側のＤ端子から入力されたアナログ信号の内の映像信号を，それぞれ出力側のＤ端子に出力するよう構成され，
前記第３の回路手段は，入力側のＡＶ端子から入力されたアナログ音声信号を，それぞれ出力側のＡＶ端子から出力されるように構成され，
たことを特徴とした請求項１乃至請求項３の何れかに記載の信号分配器。
【発明の詳細な説明】
【技術分野】
【０００１】
本発明は，主に電気信号の信号分配器に関し，詳しくはテレビ共同受信システムに好適な信号分配器の回路に関する。
【背景技術】
【０００２】
従来のテレビ共同受信システムに用いられる信号分配器としては，テレビ信号である高周波信号を必要数に分配するものや，ＶＴＲや衛星チューナとテレビ受信機や他のＶＴＲ等の接続するためのＡＶ信号を必要数に分配するなどの信号分配器が用いられる。これらの分配器は同一信号源から伝送線を介して入力信号が入力されて，該入力信号を所定数に分配して出力端子から出力されるのであるが，これらの出力端子に接続される他の機器等によって，相互に影響されないようにする必要がある。そこで，このような信号分配器においては，入力端子から入力された信号は，所定数に並列接続されたバッファ回路を介してそれぞれ出力されるように構成されており，例えば出力の１つに接続された機器が故障したり，入力インピーダンスの異常なものが接続されたりしたときであっても回路に備えさせたバッファ回路により入力端子にはなんらの変化もきたさないし，これによって他の出力端子の出力信号に影響を与えないように構成されているのである。
（例えば，特許文献１参照）
【０００３】
【特許文献１】特開２００３−３２０６５号公報
【発明の開示】
【発明が解決しようとする課題】
【０００４】
しかし，近年ディジタル機器の普及に伴い，機器にはＤ端子接続コネクターを具備させて，該機器同士をＤ端子ケーブルで接続する構成の機器が増えてきた。このＤ端子は，複数のアナログ信号をそれぞれ伝送する伝送線路を１つにまとめた伝送線であり，その伝送信号は輝度信号（Ｙ信号）とハイビジョン用の色差信号（Ｐｒ，Ｐｂ信号）とからなる映像信号と，走査線，アスペクト比，インターレス／プログレッシブ等の選択を行うためのライン１，２，３，４の４つからなる制御信号とが伝送されるように構成されたものである。
したがって，このＤ端子を用いて，例えば３分配のＤ端子分配器を構成したとすると，各信号をそれぞれ信号分配して，それぞれにバッファ回路を備えさせることによって，出力に接続される機器が相互に影響しないようにすることが考えられるが，このように分配数に応じたバッファ回路を備えると，信号分配のための回路規模が大きくなると共に，コストもかかることになると言った問題があった。
そこで本願においては，こうした問題点を解決するためになされたものであり，
その目的は，外観を小さくすると共に，コストが安価な信号分配器を提供することにある。
他の目的は，出力端子に接続する機器の状態によって動作不良のない信号分配器を提供することにある。
他の目的は，出力端子に接続する機器の特性を予め指定するようにした信号分配器を提供することにある。
他の目的は，出力端子に接続する機器の状態によって回路構成を変更可能な信号分配器を提供することにある。
他の目的は，前記各目的に対応したＤ端子用の信号分配器を提供することにある。
他の目的及び利点は図面及びそれに関連した以下の説明により容易に明らかになるであろう。
【課題を解決するための手段】
【０００５】
上記問題を解決するために，請求項１の発明は，信号分配器において，
本体の外壁には，少なくとも異なる２つの形状からなる接続端子を一組としてなる入力端子と，前記異なる２つの形状の接続端子から入力された電気信号に対応した信号を出力する，異なる２つの形状からなる接続端子を一組としてなる出力端子を複数組と，を備え，前記接続端子の少なくとも一方は，当該接続端子と他の機器との間に介在させて，複数のアナログ信号からなる電気信号をそれぞれ個別に伝送する複数本の伝送経路からなる伝送線と接続するように構成されており，本体の内部には，前記入力側の一方の接続端子から入力されたアナログ信号の内の一部の電気信号を，前記出力側の一方の接続端子から出力するための第１の回路手段と，前記入力側の一方の接続端子から入力された前記アナログ信号の内の一部を除く電気信号を，前記出力側の一方の接続端子から出力するための第２の回路手段と，前記入力側の他方の接続端子から入力された電気信号を，前記出力側の他方の接続端子から出力するための第３の回路手段と，を備え，前記第１の回路手段は，入力された信号をそれぞれ通過させる通過回路か，入力された信号をそれぞれ増幅する信号増幅回路かを選択自在に構成した。
【０００６】
請求項２の発明は，請求項１に記載の信号分配器において，入力された信号をそれぞれ通過させる前記通過回路と，入力された信号をそれぞれ増幅する前記信号増幅回路と，を選択する条件は，前記第１の回路手段からの信号を出力する前記出力側の一方の接続端子に接続される他の機器の入力インピーダンスの所定値を定め，前記他の機器の内の少なくとも一つの機器の入力インピーダンスが所定値を満たすか満たさないかを基準とするように構成した。
【０００７】
請求項３の発明は，請求項２に記載の信号分配器において，入力された信号をそれぞれ通過させる通過回路と，入力された信号をそれぞれ増幅する信号増幅回路と，を選択する条件は，前記第１の回路手段からの信号を出力する前記出力側の一方の接続端子に接続される他の機器の入力インピーダンスの所定値を略１００ｋΩとして，前記他の機器の全ての入力インピーダンスがこの所定値より同じか高い場合は，入力された信号をそれぞれ通過させる通過回路を選択し，前記他の機器の内の少なくとも１つの入力インピーダンスがこの所定値より低い場合は，入力された信号をそれぞれ増幅する信号増幅回路を選択するように定めた。
【０００８】
請求項４の発明は，請求項１乃至請求項３の何れかに記載の信号分配器において，前記一方の接続端子はＤ端子であり，他方の接続端子はＡＶ端子であり，前記第１の回路手段は，入力側のＤ端子から入力されたアナログ信号の内の制御信号を，それぞれ出力側のＤ端子に出力するよう構成され，前記第２の回路手段は，入力側のＤ端子から入力されたアナログ信号の内の映像信号を，それぞれ出力側のＤ端子に出力するよう構成され，前記第３の回路手段は，入力側のＡＶ端子から入力されたアナログ音声信号を，それぞれ出力側のＡＶ端子から出力されるように構成される。
【発明の効果】
【０００９】
請求項１の発明によれば，信号分配器において，
本体の外壁には，少なくとも異なる２つの形状からなる接続端子を一組としてなる入力端子と，前記異なる２つの形状の接続端子から入力された電気信号に対応した信号を出力する，異なる２つの形状からなる接続端子を一組としてなる出力端子を複数組と，を備え，前記接続端子の少なくとも一方は，当該接続端子と他の機器との間に介在させて，複数のアナログ信号からなる電気信号をそれぞれ個別に伝送する複数本の伝送経路からなる伝送線と接続するように構成されており，本体の内部には，前記入力側の一方の接続端子から入力されたアナログ信号の内の一部の電気信号を，前記出力側の一方の接続端子から出力するための第１の回路手段と，前記入力側の一方の接続端子から入力された前記アナログ信号の内の一部を除く電気信号を，前記出力側の一方の接続端子から出力するための第２の回路手段と，前記入力側の他方の接続端子から入力された電気信号を，前記出力側の他方の接続端子から出力するための第３の回路手段と，を備え，前記第１の回路手段は，入力された信号をそれぞれ通過させる通過回路か，入力された信号をそれぞれ増幅する信号増幅回路かを選択自在に構成したので，
出力端子に接続される例えばテレビ受像機において，当該テレビ受像機の入力インピーダンスに著しくバラツキ（入力インピーダンスが低いテレビ受像機。）が生じた場合であって，Ｄ端子の切り替え等の制御が行なわれないような場合が生じた場合であっても，制御信号を通過する第１の回路手段を，基本的には通過回路で構成しておいて，問題が生じた場合は増幅回路を装着できるように，通過回路と増幅回路を着脱自在に形成して対応可能なようにできると共に，製品コストの安価な信号分配器を提供できるのである。
【００１０】
請求項２の発明によれば，請求項１に記載の信号分配器において，入力された信号をそれぞれ通過させる前記通過回路と，入力された信号をそれぞれ増幅する前記信号増幅回路と，を選択する条件は，前記第１の回路手段からの信号を出力する前記出力側の一方の接続端子に接続される他の機器の入力インピーダンスの所定値を定め，前記他の機器の内の少なくとも一つの機器の入力インピーダンスが所定値を満たすか満たさないかを基準とするように構成したので，
基本的な構成の状態においては，安価なコストで信号分配器を提供できるのであるが，テレビ受像機の入力インピーダンスの小さなテレビ受像機を持っているユーザーがこの信号分配器を購入した場合であって，Ｄ端子の制御等ができないような状態が発生した場合であっても，信号分配器の供給メーカーのサポート体制として，信号分配器が動作しない場合がある条件を予めユーザーに提供することができると共に，ユーザーサイドにおいて動作可能な状態に，簡単且つ素早く対応できる信号分配器を提供することができるのである。
【００１１】
請求項３の発明によれば，請求項２に記載の信号分配器において，入力された信号をそれぞれ通過させる通過回路と，入力された信号をそれぞれ増幅する信号増幅回路と，を選択する条件は，前記第１の回路手段からの信号を出力する前記出力側の一方の接続端子に接続される他の機器の入力インピーダンスの所定値を略１００ｋΩとして，前記他の機器の全ての入力インピーダンスがこの所定値より同じか高い場合は，入力された信号をそれぞれ通過させる通過回路を選択し，前記他の機器の内の少なくとも１つの入力インピーダンスがこの所定値より低い場合は，入力された信号をそれぞれ増幅する信号増幅回路を選択するように定めたので，
予めユーザーがテレビ受像機の入力インピーダンスに対して具体的な規定値を知っておけば，メーカーや取扱説明書等によって入力インピーダンスを確認することによって，本発明の信号分配器を導入する場合に，第１の回路手段を通過回路で良いのか増幅回路が良いのかを指定できる信号分配回路を提供できる。
例え，入力インピーダンスの確認ができなくとも，予め動作しない条件をユーザーに提供することができ相互に問題発生のない信号分配器を提供できるのである。
【００１２】
請求項４の発明によれば，請求項１乃至請求項３の何れかに記載の信号分配器において，前記一方の接続端子はＤ端子であり，他方の接続端子はＡＶ端子であり，前記第１の回路手段は，入力側のＤ端子から入力されたアナログ信号の内の制御信号を，それぞれ出力側のＤ端子に出力するよう構成され，前記第２の回路手段は，入力側のＤ端子から入力されたアナログ信号の内の映像信号を，それぞれ出力側のＤ端子に出力するよう構成され，前記第３の回路手段は，入力側のＡＶ端子から入力されたアナログ音声信号を，それぞれ出力側のＡＶ端子から出力されるように構成したので，
Ｄ端子を有する機器であって，出力端子に接続される前記機器の入力インピーダンスのバラツキがあっても，前記Ｄ端子に所定の信号が流れることによって，機器が正しく動作することができる信号分配器を提供できる。
【発明を実施するための最良の形態】
【００１３】
以下に，本発明を具体化した実施形態の例を，図面を基に詳細に説明する。
図１は本発明に係る信号分配器の斜視図である。図２は本発明に係る信号分配器の回路を示す基本のブロックを示し，第１の回路手段に通過回路を用いた回路図である。図３は本発明に係る信号分配器の応用の実施例を示し，第１の回路手段に信号増幅器を用いた回路図である。図４は本発明に係る第１の回路手段の内の信号増幅器の１系統を示す基本回路である。
【実施例１】
【００１４】
図１において，１は本発明に係る信号分配器の実施例を示す斜視図である。この信号分配器１は上面に開口部を備えるように，金属材料を屈曲成形したケース本体２と，該ケース本体２の開口部を封鎖可能なように断面コ字型に屈曲成形したケース蓋体３とからなる。  このケース蓋体３はネジ棒３ａ，３ａ，３ａ，３ａを前記ケース蓋体３の外側方向から前記ケース本体２に羅着することによって，着脱自在に固着する構成となっている。
ケース本体２の側面２ａには，Ｄ端子１０ａからなる接続端子と音声信号のＰＩＮコネクター（右・左用，以下同様で，ＰＩＮコネクターと記載する。）１０ｂの接続端子を一組として構成された入力端子１０と，Ｄ端子１１ａからなる接続端子とＰＩＮコネクター１１ｂの接続端子を一組として構成された出力端子１１と，同様な構成からなる出力端子１２（１２ａ，１２ｂ）及び出力端子１３（１３ａ，１３ｂ）とが具備されている。
ケース本体２の内部には図示されていないが信号分配手段が備えられており，本発明の実施例によれば該信号分配手段によって入力端子から入力された電気信号を３分配して出力するように構成されている。
尚，前記入力及び出力に備えたＤ端子が請求項に記載の一方の接続端子であり，前記入力及び出力に備えたＰＩＮコネクターが請求項に記載の他方の接続端子を示す。
５は電源供給端子であり，ケース内部に備えた信号を分配するための前記信号分配手段の構成要素に，信号分配器１の外部に備えた，例えばＡＣアダプターからのＤＣ電源を供給するためのものである。
【００１５】
次に前記信号分配手段について図２を用いて詳細に説明する。この図において１００は信号分配手段を示し，本発明に係る信号分配器１の通常の使用状態を示す基本の回路ブロック図である。
この実施例によれば信号分配手段１００は，入力端子１０と，出力端子１１，１２，１３と，前記入力端子と各出力端子との間に介設させた出力端子（出力１）１１用の伝送経路１０１と，出力端子（出力２）１２用の伝送経路１０２と，出力端子（出力３）１３用の伝送経路１０３と，を具備した３分配の信号分配器を構成している。
【００１６】
ここで入力・出力端子を構成するＤ端子について説明する。このＤ端子は近年著しく普及した液晶やＰＤＰ等による薄型テレビや，地上ディジタル放送チューナーのようなディジタル機器に備えらたものであり，該ディジタル機器同士をＤ端子ケーブルを介して接続するように構成されている。このＤ端子は，複数のアナログ信号をそれぞれ伝送する複数の伝送線路が１つにまとめられものを接続するように構成されており，その伝送信号は，輝度信号（Ｙ信号。以下Ｙ信号と記載する。）とハイビジョン用の色差信号（Ｐｒ信号。以下Ｐｒ信号と記載する。）とハイビジョン用の色差信号（Ｐｂ信号。以下信号Ｐｂ信号と記載する。）との３つの映像信号と，走査線，アスペクト比，インターレス／プログレッシブ，コネクター接続の有無の選択・制御・検出等を行うためのライン１，２，３，４（以下，Ｌ１，Ｌ２，Ｌ３，Ｌ４信号と記載する。）の４つの制御信号が伝送されるように構成されたものである。
したがって，本発明の実施例では，映像信号と制御信号は入力端子１０のＤ端子１０ａから入力された後に分配され，出力端子１１，１２，１３のＤ端子１１ａ，１２ａ，１３ａから出力される。音声信号は入力端子１０のＰＩＮコネクター１０ｂから入力された後に分配され，出力端子１１，１２，１３のＰＩＮコネクター１１ｂ，１２ｂ，１３ｂから出力されるように構成されているのである。
尚，本発明の実施例によれば，前記制御信号であるＬ１，Ｌ２，Ｌ３，Ｌ４信号は，例えばＤＣ５Ｖ／ＯＶのようにＨ（Ｈｉｇｈ  Ｌｅｖｅｌ）信号とＬ（Ｌｏｗ  Ｌｅｖｅｌ）信号である。
【００１７】
次に，入力端子１０から入力された信号の流れについて更に詳細に説明する。尚，以下の説明では特に明記しない限り，説明をより明確とするために入力端子１０から出力端子１１への信号の流れを主として説明し，入力端子１０から出力端子１２及び１３への信号の流れは前記信号の流れと同じであるため，特に明記される必要がある場合以外は詳細を省く。
【００１８】
先ずＤ端子１０ａにおけるＹ，Ｐｒ，Ｐｂから入力された各映像信号は，例えばＹ信号がＹ１，Ｙ２，Ｙ３の３つの信号に分配されると同様に，Ｐｒ信号，Ｐｂ信号の各信号が３つの伝送経路に分配された後に，夫々の信号は出力端子１１用の伝送経路１０１，出力端子１２用の伝送経路１０２，出力端子１３用の伝送経路１０３に入力される。
同様にＤ端子１０ａにおけるＬ１，Ｌ２，Ｌ３，Ｌ４から入力された制御信号（所謂，前記映像信号を除く信号。）は，例えばＬ１信号がＬ１１，Ｌ１２，Ｌ１３の３つの信号に分配されると同様に，Ｌ２，Ｌ３，Ｌ４の各信号が３つの伝送経路の分配された後に，夫々の信号は出力端子１１用の前記伝送経路１０１，出力端子１２用の前記伝送経路１０２，出力端子１３用の前記伝送経路１０３に入力される。
更にＰＩＮコネクター１０ｂから入力された音声信号は，右側音声用の信号であるＡＲ信号がＡＲ１，ＡＲ２，ＡＲ３の３つの信号に分配されると同様に，左側音声用の信号であるＡＬ信号を３つの伝送経路に分配した後に，夫々出力端子１１用の前記伝送経路１０１，出力端子１２用の前記伝送経路１０２，出力端子１３用の前記伝送経路１０３に入力されるのである。
【００１９】
ここで前記出力端子１１用の伝送経路１０１について図２を基に詳細に説明する。この伝送経路１０１は，第１の回路手段である５１と，第２の回路手段２１と，第３の回路手段４１とから構成されている。この伝送経路１０１には前記入力端子１０から入力された信号の内から，前記Ｙ１，Ｐｒ１，Ｐｂ１，Ｌ１１，Ｌ２１，Ｌ３１，Ｌ４１，ＡＬ１，ＡＲ１の各信号が入力される。
前記第１の回路手段５１は，Ｌ１信号通過回路５１ａとＬ２信号通過回路５１ｂとＬ３信号通過回路５１ｃとＬ４信号通過回路５１ｄとからなり，たとえばプリント配線板等に該プリント配線板の導電材によって通過回路を形成したものである。この第１の回路手段５１の各通過回路の入力側と出力側には接続端子を具備させると共に，出力端子１１用の伝送経路１０１にも，前記接続端子に対応する接続端子を具備させることによって，前記伝送経路１０１に対して，前記第１の回路手段５１の着脱を自在とするように固着されるよう構成されて，前記Ｌ１１，Ｌ２１，Ｌ３１，Ｌ４１信号を出力端子１１のＤ端子１１ａにおけるＬ１１，Ｌ２１，Ｌ３１，Ｌ４１から出力する。 
【００２０】
第２の回路手段２１は，Ｙ信号増幅回路２１ａ，Ｐｒ信号増幅回路２１ｂ，Ｐｂ信号増幅回路２１ｃが３つ並列接続された構成となっており，この第２の回路手段２１は前記伝送経路１０１が形成されたプリント配線板上に構成されており，前記Ｙ１，Ｐｒ１，Ｐｂ１信号を夫々所定レベルまで増幅した後に出力端子１１のＤ端子１１ａから出力されるよう構成されている。
即ち，Ｙ信号増幅回路２１ａで所定レベルまで増幅されたＹ１信号は出力端子１１のＤ端子１１ａのＹ１（図２におけるＹ１。以下同様に記載する。）から出力され，Ｐｒ信号増幅回路２１ｂで所定レベルまで増幅されたＰｒ信号は出力端子１１のＤ端子１１ａのＰｒ１から出力され，Ｐｂ信号増幅回路２１ｃで所定レベルまで増幅されたＰｂ信号は出力端子１１のＤ端子１１ｂのＰｂ１から出力されるように構成されているのである。
【００２１】
第３の回路手段４１は，左側音声用増幅回路４１ａ，右側信号増幅回路４１ｂが２つ並列接続された構成となっており，この第３の回路手段４１は前記伝送経路１０１が形成されたプリント配線板上に構成されており，前記ＡＬ１，ＡＲ１信号を夫々所定レベルまで増幅した後に出力端子１１のＰＩＮコネクター１１ｂのＡＬ１，ＡＲ１から出力するよう構成されている。
【００２２】
尚，本願の実施例では，３分配の信号分配器について説明しているために，図２に示すように前記出力端子１１用の伝送経路１０１以外に，出力端子１２用の伝送経路１０２及び出力端子１３用の伝送経路１０３が備えられ，入力信号はこれらの各伝送経路を介して出力端子１１，１２，１３から出力されるように構成されているが，これらの伝送経路１０２と１０３は前記伝送経路１０１と同じ構成をしており詳細は省略する。
【００２３】
次に，図３を用いて本発明の実施例の応用例を示す。この実施例では，出力端子用の伝送経路に備えられた前記第１の回路手段である，Ｌ１信号通過回路５１ａとＬ２信号通過回路５１ｂとＬ３信号通過回路５１ｃとＬ４信号通過回路５１ｄとから構成された第１の伝送経路５１の替わりに，Ｌ１信号増幅回路３１ａとＬ２信号増幅回路３１ｂとＬ３信号増幅回路３１ｃとＬ４信号増幅回路３１ｄとからなる第１の伝送経路３１を具備させたものである。
この第１の伝送経路３１は，たとえばプリント配線板等に各制御信号増幅回路が形成してある。また，この第１の回路手段３１の各増幅回路の入力側と出力側には接続端子を具備させると共に，各出力端子用の伝送経路にも，前記接続端子に対応する接続端子を具備させることによって，前記各伝送経路に対して，前記第１の回路手段３１の着脱を自在とするように固着されるよう構成されている。例えば出力端子１１用の伝送経路１０１においては，前記Ｌ１１，Ｌ２１，Ｌ３１，Ｌ４１信号を夫々所定レベルに増幅した後に出力端子１１のＤ端子１１ａにおけるＬ１１，Ｌ２１，Ｌ３１，Ｌ４１から出力する。これは出力端子１２のＤ端子１２ａ，出力端子１３のＤ端子１３ａについても同様である。
尚，図４に本発明における第１の回路手段３１の実施例を示す。この図においてＲ１〜Ｒ２４は抵抗であり，Ｄ１〜Ｄ４はダイオードであり，ＴＲ１〜ＴＲ４及びＴＲ１１〜ＴＲ１４はダイオードである。
【００２４】
このように構成された信号分配器１において，前記第１の回路手段３１と５１の使い分けについて説明する。
本発明におけるＤ端子は，例えば衛星チューナーやＤＶＤのようなディジタル機器とテレビ受像機に備えさせてあり，このＤ端子間にＤ端子ケーブルを介在させて接続することによって夫々を動作させるものである。
ところでこのＤ端子は，複数のアナログ信号をそれぞれ伝送する伝送線路を１つにまとめた伝送線であり，その伝送信号は，輝度信号（Ｙ信号）とハイビジョン用の色差信号（Ｐｒ，Ｐｂ信号）とからなる映像信号と，走査線，アスペクト比，インターレス／プログレッシブ等の選択を行うためのライン１，２，３，４の４つからなる制御信号とが伝送されるように構成されたものであり，本発明の実施例では，このＤ端子１０ａによって入力される信号と，ＰＩＮコネクター１０ｂによって入力される音声信号とを，３つに信号分配して出力端子１１，１２，１３に出力するように構成されている。
【００２５】
このうち映像信号は夫々所定の規格が規定されており，本発明の信号分配器１を用いて信号分配させても，出力端子から出力される信号レベルが低下したり，前記信号分配器１の任意の出力に接続されるテレビ受像機等の機器の状態によって，他の出力に接続された機器に対して例えば画像が乱れる等の影響がないようしたりすることが求められており，各映像信号は第２の回路手段２１を構成する映像信号増幅回路によって所定レベル増幅されると共に，これらの映像信号増幅回路が出力間のバッファ回路の役目をすることで，出力端子間の影響が無いように構成されている。
【００２６】
制御信号は前述のように，例えばＤＣ５Ｖ／ＯＶで示されるＨ（Ｈｉｇｈ  Ｌｅｖｅｌ）信号とＬ（Ｌｏｗ  Ｌｅｖｅｌ）信号から構成されており，当該信号の組み合わせによって，テレビ受像機等の制御等を行うものであり，Ｈ信号とＬ信号との判別ができればよいので，例えば出力端子に接続されるテレビ受像機用の状態によって影響されることがなく，この制御信号に対しては，バッファ回路となる制御信号増幅器を備えさせなくても良いと考えられていた。
【００２７】
ところが実験的に色々なメーカーにおける多品種のテレビ受像機の入力インピーダンスを調査したところ，この値が一般的に考えられている入力インピーダンスより著しく低いものがあり，このような低い入力インピーダンスを有したテレビ受像機を，信号分配器１の出力端子の何れか１つに接続することによって，出力端子に接続されたテレビ受信機において，信号分配器１から出力される制御信号のＨ信号／Ｌ信号の判定ができなくなる場合が生じることになる。
このような状態を無くするためには，前記映像信号に対応したように，制御信号にも制御信号増幅回路を備えさせることによって，バッファ回路を介在させるようにすれば，出力端子に接続されるテレビ受像機の入力インピーダンスが著しくバラツキ（低い）があった場合であっても，相互に影響のない信号分配器を提供することができるのであるが，この構成では製品のコストアップとなる問題があり，全く問題のないテレビ受像機を有するユーザーに対してはコストアップ分の負担をかけることとなる。
【００２８】
そこで本発明の実施形態に示す信号分配器１においては，このような例えば所有するテレビ受像機の入力インピーダンスに著しくばらつきが生じた場合であって，入力インピーダンスの極めて低いテレビ受像機を接続した場合であって，Ｄ端子の切り替え等の制御ができないような場合が生じた場合でも対応可能なように，制御信号を通過する第１の回路手段を，例えば基本的には通過回路５１で構成し，問題が生じるような場合にはこれに替えて増幅回路３１を装着できるように，通過回路５１と増幅回路３１を着脱自在に形成したのである。これによれば，入力インピーダンスが極めて低いテレビ受像機を接続したとしても，増幅回路３１によってバッファ回路を介在させることができ，Ｄ端子の制御・検出等ができなくなることを防止できるのである。
【００２９】
尚，本願の実施例によれば，前記第１の回路手段に対して，入力された信号をそれぞれ通過させる通過回路と，入力された信号をそれぞれ増幅する信号増幅回路と，を選択する条件として，前記第１の回路手段からの信号を出力する前記出力側の一方の接続端子に接続される機器の入力インピーダンスの所定値を略１００ｋΩとして，該機器の全ての入力インピーダンスがこの所定値より同じか高い場合は，入力された信号をそれぞれ通過させる通過回路を選択し，該機器の内の少なくとも１つの入力インピーダンスがこの所定値より低い場合は，入力された信号をそれぞれ増幅する信号増幅回路を選択するように定めた信号分配器について示している。
これによれば，入力インピーダンスが極めて低いテレビ受像機を接続した時にはＤ端子の制御・検出等ができなくなることを予めユーザーに通知できることによって，機器の不良か不良でないかの問題も起きることがない。また，ユーザーにとっては予め手持ちのテレビ受像機や，今後買い増しするテレビ受像機の入力インピーダンスを販売店やメーカーに問い合わせすることによって，予め増幅回路３１を備えさせてバッファ回路を介在させることができ，Ｄ端子の制御等ができなくなるといった問題を事前に防止できる信号分配器を提供できるのである。
尚，本発明は上記実施の形態に限定されるものではなく，本発明の趣旨を逸脱しない範囲で各部の構成を適宜に変更して実施することも可能である。
【図面の簡単な説明】
【００３０】
【図１】本発明に係る信号分配器の斜視図である。
【図２】本発明に係る信号分配器の回路を示す基本のブロックを示し，第１の回路手段に通過回路を用いた回路図である。
【図３】本発明に係る信号分配器の応用の実施例を示し，第１の回路手段に制御信号増幅器を用いた回路図である。
【図４】本発明に係る第１の回路手段の内の制御信号増幅器の１系統を示す基本回路である。
【符号の説明】
【００３１】
１…信号分配器，２…ケース本体，３…ケース蓋体，３ａ…ネジ棒，１０…入力端子，１０ａ…入力のＤ端子，１０ｂ…入力の音声端子，１１…出力１（出力端子），１１ａ…出力１のＤ端子，１１ｂ…出力２の音声端子，１２…出力２（出力端子），１２ａ…出力２のＤ端子，１２ｂ…出力２の音声端子，１３…出力３（出力端子），１３ａ…出力３のＤ端子，１３ｂ…出力３の音声端子，２１…第２の回路手段，２１ａ・２１ｂ・２１ｃ…映像信号増幅回路，３１…第１の回路手段，３１ａ・３１ｂ・３１ｃ・３１ｄ…制御信号増幅回路，４１…第３の回路手段，４１ａ・４１ｂ…音声信号増幅回路，５１…第１の回路手段，５１ａ・５１ｂ・５１ｃ・５１ｄ…制御信号通過回路，１０１…出力１用の伝送経路，１０２…出力２用の伝送経路，１０３…出力３用の伝送経路，Ｒ１〜Ｒ２４…抵抗，Ｄ１〜Ｄ４…ダイオード，ＴＲ１〜ＴＲ４・ＴＲ１１〜ＴＲ１４…トランジスタ
【図１】
2006050162.tif 000003
【図２】
2006050162.tif 000004
【図３】
2006050162.tif 000005
【図４】
2006050162.tif 000006